(57)【要約】【課題】本発明の目的は、拡張カード固定装置及びこれを用いる拡張カードモジュールを提供する。【解決手段】本発明の拡張カード固定装置は、対向する第一端及び第二端を備える拡張カードを固定するために用いられ、固定ブラケット及び支持部材を備え、固定ブラケットは、拡張カードの第一端を固定する端板及び端板に直交する頂板を備え、支持部材は、端板に相対してスライド可能に固定ブラックの内部に収容され、拡張カードの第二端を固定する固定壁及び固定壁に直交する第一取付壁を備え、第一取付壁には、弾性を有する定位シートが設けられ、固定ブラケットの頂板には、支持部材のスライド方向に沿って複数の定位孔が設けられ、支持部材の定位シートには、定位孔に係合する定位ピンが突出して形成される。本発明は、前記拡張カード固定装置を用いる拡張カードモジュールも提供する。【選択図】図２
2013098545.tif 000002
【特許請求の範囲】
【請求項１】
対向する第一端及び第二端を備える拡張カードを固定するために用いられ、固定ブラケット及び支持部材を備えてなる拡張カード固定装置であって、
前記固定ブラケットは、前記拡張カードの第一端を固定する端板及び前記端板に直交する頂板を備え、
前記支持部材は、前記端板に相対してスライド可能に前記固定ブラケットの内部に収容され、前記拡張カードの第二端を固定する固定壁及び前記固定壁に直交する第一取付壁を備え、前記第一取付壁には、弾性を有する定位シートが設けられ、
前記固定ブラケットの頂板には、前記支持部材のスライド方向に沿って複数の定位孔が設けられ、前記支持部材の定位シートには、前記定位孔に係合する定位ピンが突出して形成されることを特徴とする拡張カード固定装置。
【請求項２】
前記固定ブラケットの頂板には、第一スライドスロットが設けられ、前記支持部材の第一取付壁には、前記第一スライドスロットにスライド可能に収容されるガイド突起が突出して形成されることを特徴とする請求項１に記載の拡張カード固定装置。
【請求項３】
前記固定ブラケットの頂板における前記第一スライドスロットの一端には、前記第一スライドスロットに連通されるガイド孔が設けられ、前記ガイド突起は、前記第一取付壁から上に向かって延在するスライド部及び前記スライド部の頂部に形成される当止部を備え、前記当止部は、前記ガイド孔を貫き、前記スライド部は、前記第一スライドスロットに入ることを特徴とする請求項２に記載の拡張カード固定装置。
【請求項４】
前記定位シートの中部から下に向かって操作部が突出して形成されることを特徴とする請求項１に記載の拡張カード固定装置。
【請求項５】
前記固定ブラケットは、前記端板及び前記頂板に垂直に接続される側板をさらに備え、前記側板には、固定柱が形成され、
前記支持部材は、前記固定壁及び前記第一取付壁に垂直に接続される第二取付壁をさらに備え、前記第二取付壁には、第二スライドスロットが設けられ、
前記拡張カード固定装置は、前記支持部材の第二スライドスロットにスライド可能に収容され、且つ前記固定ブラケットの側板の固定柱に固定される連結部材をさらに備えることを特徴とする請求項１に記載の拡張カード固定装置。
【請求項６】
固定ブラケット、スイッチカード、支持部材及び複数の拡張カードを備えてなる拡張カードモジュールであって、
前記固定ブラケットは、側板と、前記側板の一端から垂直に延在する端板と、前記側板及び前記端板の頂部に垂直に接続される頂板と、を備え、前記頂板には、前記端板に垂直する方向に向かって延在する第一スライドスロット及び前記第一スライドスロットの一端に位置し且つ前記第一スライドスロットに連通されるガイド孔が設けられ、
前記スイッチカードは、前記固定ブラケットの側板に固定され、
前記支持部材は、前記固定ブラケットの内部にスライド可能に装着され、前記固定ブラケットの端板に対向する固定壁及び前記固定壁の頂部に垂直に接続される第一取付壁を備え、前記固定壁には、複数の挟持部が形成され、前記第一取付壁には、前記第一取付壁から上に向かって延在するスライド部及び前記スライド部の頂部に形成される当止部からなるガイド突起が突出して形成され、前記当止部は、前記ガイド孔を貫き、前記スライド部は、前記第一スライドスロットに入り、
各々の前記拡張カードの一端の当止シートは前記固定ブラケットの端板に固定され、各々の前記拡張カードの前記当止シートから離れている他端は、前記支持部材の挟持部に挟持されて、複数の前記拡張カードは、前記固定ブラケットの内部に収容され、且つ前記スイッチカードに差し込まれることを特徴とする拡張カードモジュール。
【請求項７】
前記固定ブラケットの頂板には、前記支持部材のスライド方向に沿って複数の定位孔が設けられ、前記支持部材の第一取付壁には、弾性を定位シートが設けられ、前記定位シートには、定位ピンが突出して形成され、前記支持部材がスライドする際、前記定位ピンは前記固定ブラケットの異なる定位孔に係合して、前記支持部材は、異なる位置に定位されることを特徴とする請求項６に記載の拡張カードモジュール。
【発明の詳細な説明】
【技術分野】
【０００１】
本発明は、拡張カード固定装置及びこれを用いる拡張カードモジュールに関するものである。
【背景技術】
【０００２】
コンピューター又はサーバーなどの電子機器には、通常複数の拡張カードが設置される。拡張カードの前端（コネクターが設けられた一端）には、当接シートが設置されており、ねじを利用して拡張カードの当接シートを電子機器のケースに固定することができる。拡張カードを水平放置する場合、拡張カードの後端が垂れ下がることを免れるために、電子機器のケースに固定装置を設置して拡張カードの後端を固定する。  
【発明の概要】
【発明が解決しようとする課題】
【０００３】
しかし、従来の技術において、一種の固定装置は特定の寸法を有するので、対応する寸法を有する拡張カードのみを固定するだけで、異なる長さを有する拡張カードを取り付ける、又は取り替えることが不便である。
【０００４】
本発明の目的は、前記課題を解決し、異なる長さを有する拡張カードを固定することができる拡張カード固定装置及びこれを用いる拡張カードモジュールを提供することである。
【課題を解決するための手段】
【０００５】
本発明に係る拡張カード固定装置は、対向する第一端及び第二端を備える拡張カードを固定するために用いられ、固定ブラケット及び支持部材を備え、前記固定ブラケットは、前記拡張カードの第一端を固定する端板及び前記端板に直交する頂板を備え、前記支持部材は、前記端板に相対してスライド可能に前記固定ブラックの内部に収容され、前記拡張カードの第二端を固定する固定壁及び前記固定壁に直交する第一取付壁を備え、前記第一取付壁には、弾性を有する定位シートが設けられ、前記固定ブラケットの頂板には、前記支持部材のスライド方向に沿って複数の定位孔が設けられ、前記支持部材の定位シートには、前記定位孔に係合する定位ピンが突出して形成される。
【０００６】
本発明に係る拡張カードモジュールは、固定ブラケット、スイッチカード、支持部材及び複数の拡張カードを備え、前記固定ブラケットは、側板と、前記側板の一端から垂直に延在する端板と、前記側板及び前記端板の頂部に垂直に接続される頂板と、を備え、前記頂板には、前記端板に垂直する方向に向かって延在する第一スライドスロット及び前記第一スライドスロットの一端に位置し且つ前記第一スライドスロットに連通されるガイド孔が設けられ、前記スイッチカードは、前記固定ブラケットの側板に固定され、前記支持部材は、前記固定ブラケットの内部にスライド可能に装着され、前記固定ブラケットの端板に対向する固定壁及び前記固定壁の頂部に垂直に接続される第一取付壁を備え、前記固定壁には、複数の挟持部が形成され、前記第一取付壁には、前記第一取付壁から上に向かって延在するスライド部及び前記スライド部の頂部に形成される当止部からなるガイド突起が突出して形成され、前記当止部は、前記ガイド孔を貫き、前記スライド部は、前記第一スライドスロットに入り、各々の前記拡張カードの一端の当止シートは前記固定ブラケットの端板に固定され、各々の前記拡張カードの前記当止シートから離れている他端は、前記支持部材の挟持部に挟持されて、複数の前記拡張カードは、前記固定ブラケットの内部に収容され、且つ前記スイッチカードに差し込まれる。
【発明の効果】
【０００７】
本発明の拡張カード固定装置において、支持部材はスライドしながら位置を調整することができるので、前記支持部材と固定ブラケットの端板との間の距離を調整して、異なる拡張カードを固定することができる。
【図面の簡単な説明】
【０００８】
【図１】本発明の実施形態に係る拡張カード固定装置の分解斜視図である。
【図２】本発明の実施形態に係る拡張カード固定装置に複数の第一拡張カードを取り付けて形成した拡張カードモジュールの斜視図である。
【図３】本発明の実施形態に係る拡張カード固定装置に複数の第二拡張カードを取り付けて形成した拡張カードモジュールの斜視図である。
【図４】図２に示す拡張カードモジュールをコンピューターケースに取り付けた構造を示す図である。
【発明を実施するための形態】
【０００９】
以下、図面を参照して、本発明の実施形態について説明する。
【００１０】
図１を参照すると、本発明の実施形態に係る拡張カード固定装置は、固定ブラケット１０と、スイッチカード２０と、支持部材３０と、２つの連結部材４０と、を備える。
【００１１】
前記固定ブラケット１０は、側板１１と、前記側板１１の一端から垂直に延在する端板１２と、前記側板１１及び前記端板１２の頂部に垂直に接続される頂板１３と、を備える。前記側板１１の前記端板１２から離れている一端には、内部ねじ孔を有する２つの固定柱１１２が設けられる。前記頂板１３には、互いに平行し且つ前記端板１２に垂直する方向に向かって延在する２つのスライドスロット１３１、２つのガイド孔１３２及び複数の定位孔１３３が設けられる。１つの前記スライドスロット１３１は、前記側板１１に近付く、他の１つの前記スライドスロット１３１は、前記側板１１から離れている。２つの前記ガイド孔１３２は、２つの前記スライドスロット１３１の前記端板１２に近い一端に位置し、且つ対応する前記スライドスロット１３１にそれぞれに連通される。複数の前記定位孔１３３は、２つの前記スライドスロット１３１の間の位置し、且つ前記スライドスロット１３１に平行する方向に向かって二列に配列され、一列に３つの前記定位孔１３３を備える。
【００１２】
前記スイッチカード２０には、複数の拡張スロット２２及び複数の固定孔２４が設けられる。
【００１３】
前記支持部材３０は、第一取付壁３１と、前記第一取付壁３１の片側から下に向かって垂直に延在する第二取付壁３２と、前記第一取付壁３１及び前記第二取付壁３２の隣り合う側縁に垂直に接続される固定壁３３と、を備える。前記第一取付壁３１には、弾性を有する定位シート３１１と、前記第一取付壁３１の上面から突出し且つ前記定位シート３１１の両端に位置するＴ字状の２つのガイド突起３１２と、が設けられる。前記定位シート３１１の中部から下に向かって略半円形を呈する操作部３１１２が突出して形成される。前記定位シート３１１の頂面における前記操作部３１１２の両側には、それぞれに１つの定位ピン３１１４が突出して形成される。前記ガイド突起３１２は、前記第一取付壁３１から上に向かって延在するスライド部３１２１及び前記スライド部３１２１の頂部に形成され且つ前記スライド部３１２１に直交する当止部３１２３を備える。前記第二取付壁３２には、互いに平行され且つ前記固定壁３３に垂直する方向に向かって延在する２つのスライドスロット３２２が設けられる。前記固定壁３３の前記第一取付壁３１に背離する片側には、複数の挟持部３３１が突出して形成される。前記挟持部３３１は、互いに平行され且つ互いに離間する２つの挟持シート３３１２を備える。前記挟持シート３３１２の長手方向は、前記第二取付壁３２に垂直する。
【００１４】
前記連結部材４０は、ねじ山ロッド４１及び前記ねじ山ロッド４１の端部に設置される頭部４３を備える。
【００１５】
組み立てる場合、複数のねじを前記スイッチカード２０の固定孔２４に貫かせてから前記固定ブラケット１０の側板１１に螺合することにより、前記スイッチカード２０を前記側板１１の内側に固定する。前記支持部材３０を前記固定ブラケット１０の内部に収容して、前記支持部材３０の第一取付壁３１の２つのガイド突起３１２が前記固定ブラケット１０の頂板１３の２つのガイド孔１３２を貫くことにする。２つの前記ガイド突起３１２の当止部３１２３が前記頂板１３の上方に露出すると、前記支持部材３０を操作して、２つの前記ガイド突起３１２のスライド部３１２１を前記頂板１３の２つのスライドスロット１３１にそれぞれに対応させてから、２つの前記ガイド突起３１２のスライド部３１２１が２つの前記スライドスロット１３１に入ることにする。この時、前記支持部材３０の第二取付壁３２のスライドスロット３２２は、前記固定ブラケット１０の側板１１の固定柱１１２に対応する。２つの前記連結部材４０のねじ山ロッド４１を２つの前記スライドスロット３２２に貫かせてから２つの前記固定柱１１２のねじ孔に螺合することにより、前記支持部材３０を前記固定ブラケット１０にスライド可能に装着し、且つ前記支持部材３０の挟持部３３１が前記固定ブラケット１０の端板１２に向かうことにする。前記支持部材３０がスライドする際、前記支持部材３０の２つの定位ピン３１１４は、前記固定ブラケット１０の二列の定位孔１３３の排列方向に沿ってスライドすることができ、従って各々の前記定位ピン３１１４を対応する一列のいずれか１つの定位孔１３３に係合させて、前記支持部材３０を位置決めることができる。
【００１６】
図２を参照すると、複数の第一拡張カード８０を前記拡張カード固定装置に取り付けて拡張カードモジュールを形成する際、前記支持部材３０をスライドして、前記支持部材３０の定位ピン３１１４を前記固定ブラケット１０の対応する定位孔１３３に係合させると、前記支持部材３０と前記固定ブラケット１０の端板１２との間の距離は、前記第一拡張カード８０の長さに略等しくなる。複数の前記第一拡張カード８０を前記スイッチカード２０の拡張スロット２２に差し込む。複数の前記第一拡張カード８０の前端の当止シートは、前記固定ブラケット１０の端板１２に固定され、複数の前記第一拡張カード８０の後端は、前記支持部材３０の対応する挟持部３３１の２つの挟持シート３３１２の間に係合して、前記第一拡張カード８０の後端が垂れ下がることを免れる。
【００１７】
図３を参照すると、長さが第一拡張カード８０の長さより大きい複数の第二拡張カード９０を前記拡張カード固定装置に取り付けて他の拡張カードモジュールを形成する際、前記支持部材３０の操作部３１１２を下へ引っ張って、前記支持部材３０の定位シート３１１を下に向かって弾性変形させて、前記支持部材３０の定位ピン３１１４は元の前記定位孔１３３から退出する。前記支持部材３０をスライドして、前記支持部材３０と前記固定ブラケット１０の端板１２との間の距離が前記第二拡張カード９０の長さより大きいか又は等しくことにする。前記操作部３１１２を放して、前記定位シート３１１が弾性回復するとともに、２つの前記定位ピン３１１４は対応する他の２つの定位孔１３３に係合して、前記支持部材３０を固定する。複数の前記第二拡張カード９０を前記スイッチカード２０の拡張スロット２２に差し込む。複数の前記第二拡張カード９０の前端の当止シートは、前記固定ブラケット１０の端板１２に固定され、複数の前記第二拡張カード９０の後端は、前記支持部材３０の対応する挟持部３３１の２つの挟持シート３３１２の間に係合して、前記第二拡張カード９０の後端が垂れ下がることを免れる。
【００１８】
図４を参照すると、図２に示す前記拡張モジュールをコンピューターケースに取り付ける際、ねじを利用して前記拡張カード固定装置をマザーボード３００が設置されたコンピューターケース１００に固定して、前記スイッチカード２０は前記マザーボード３００に差し込まれる。
【００１９】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２０】
１０  固定ブラケット
１１  側板
１２  端板
１３  頂板
２０  スイッチカード
２２  拡張スロット
２４  固定孔
３０  支持部材
３１  第一取付壁
３２  第二取付壁
３３  固定壁
４０  連結部材
４１  ねじ山ロッド
４３  頭部
８０  第一拡張カード
９０  第二拡張カード
１００  コンピューターケース
１１２  固定柱
１３１，３２２  スライドスロット
１３２  ガイド孔
３００  マザーボード
３１１  定位シート
３１２  ガイド突起
３３１  挟持部
３１１２  操作部
３１１４  定位ピン
３１２１  スライド部
３１２３  当止部
３３１２  挟持シート
【図１】
2013098545.tif 000003
【図２】
2013098545.tif 000004
【図３】
2013098545.tif 000005
【図４】
2013098545.tif 000006